(57)【要約】      （修正有）【課題】複数のテープ芯線や光ファイバ芯線を容易に識別できるように保持可能にした光ファイバ芯線保持部材を提供する。【解決手段】スロットレス型の光ファイバケーブル２０が有する多数の光ファイバ芯線２１をチューブ内に収容してなるテープ芯線２４を複数、保持可能な光ファイバ芯線保持部材であって、基台に固定される取付板３０と、取付板に着脱可能に装着される複数のテープ芯線ホルダ４０と、を備え、取付板は固定部３１と、その一辺から互いに平行に延設された複数の腕部とを有すると共に、テープ芯線ホルダは、腕部を握時する握持部４１と、握持部に連設されて複数の保持溝内にテープ芯線を保持する保持部４２とを有し、複数のテープ芯線ホルダを腕部の長さ方向に沿って、互いに異なる向きに装着可能とした。【選択図】図７
2020173385.tif 000002
【特許請求の範囲】
【請求項１】
スロットレス型の光ファイバケーブルが有する多数の光ファイバ芯線をチューブ内に収容してなるテープ芯線を複数、保持可能な光ファイバ芯線保持部材であって、
取付対象である基台に固定される取付板と、前記取付板に着脱可能に装着される複数のテープ芯線ホルダと、を備え、
前記取付板は、前記基台に固定される平板状の固定部と、この固定部の一辺から互いに平行に延設された長尺かつ複数の腕部と、を有すると共に、
前記テープ芯線ホルダは、前記腕部に対して着脱可能に握時する握持部と、この握持部に連設されて複数の保持溝内に前記テープ芯線を保持する保持部と、を有し、
複数の前記テープ芯線ホルダを、前記腕部の長さ方向に沿って、互いに異なる向きに装着可能としたことを特徴とする光ファイバ芯線保持部材。
【請求項２】
請求項１に記載した光ファイバ芯線保持部材において、
複数の前記テープ芯線ホルダを、前記腕部の長さ方向に沿って、互いに９０度または１８０度異なる向きに装着可能としたことを特徴とする光ファイバ芯線保持部材。
【請求項３】
請求項１または２に記載した光ファイバ芯線保持部材において、
前記握持部は、前記腕部の端部に係止して前記テープ芯線ホルダが前記腕部から脱落するのを防止するための係止部を備えたことを特徴とする光ファイバ芯線保持部材。
【請求項４】
請求項１〜３の何れか１項に記載した光ファイバ芯線保持部材において、
前記保持部は、前記保持溝の入口に突設されて前記保持溝内の前記テープ芯線の脱落を防止するための脱落防止部を備えたことを特徴とする光ファイバ芯線保持部材。
【請求項５】
請求項１〜４の何れか１項に記載した光ファイバ芯線保持部材において、
前記テープ芯線ホルダを、可撓性のある材料によって形成したことを特徴とする光ファイバ芯線保持部材。
【発明の詳細な説明】
【技術分野】
【０００１】
本発明は、複数の光ファイバ芯線をチューブ内にまとめたテープ芯線を保持する光ファイバ芯線保持部材に関する。詳しくは、いわゆるスロット型ケーブルのように、テープ芯線を収容するスロットを光ファイバケーブル内に備えることなく、テープ芯線を互いに識別しながら保持可能としたスロットレス型の光ファイバ芯線保持部材に関するものである。
【背景技術】
【０００２】
図１２は、従来のスロット型ケーブルの断面図である。図１２において、１０４はスロット形成部１０１の外周面の複数箇所に形成されたスロットである。これらのスロット１０４には、複数の光ファイバ芯線１０３ａをまとめたテープ芯線１０３がそれぞれ収容されている。なお、１０２はテンションメンバ、１０５は吸水材、１０６は外被を示している。
【０００３】
図１２に示すスロット型ケーブルでは、各スロット１０４にそれぞれテープ芯線１０３を収容することによって光ファイバ芯線１０３ａの識別が容易であるという利点があるが、スロット１０４を備えたスロット形成部１０１の製造コストが高くなり、また、光ファイバケーブルが全体的に太くなるという問題がある。
【０００４】
そこで、スロット型ケーブルが有する上記の問題を解決するものとして、スロットを用いずに多数の光ファイバ芯線を収容するようにしたスロットレス型ケーブルが提供されている。
例えば、図１３は特許文献１に記載されたスロットレス型ケーブルの断面図であり、１１１は被覆、１１２はテンションメンバ、１１３は引裂き紐、１１４は多数の光ファイバ芯線である。
また、図１４は特許文献２に記載されたスロットレス型ケーブルの断面図であり、１２１は被覆、１２２はテンションメンバ、１２３は引裂き紐、１２４はチューブ、１２５は多数の光ファイバ芯線である。
【０００５】
図１３や図１４に示したスロットレス型ケーブルによれば、図１２の従来技術におけるスロット１０４がない分、製造コストの低減を期待することができる。しかしながら、その一方で、光ファイバ芯線ごとの識別が困難であるため、接続先を間違えてしまう等の恐れがある。
【０００６】
なお、光ファイバ芯線や光コードの識別を目的とした従来技術としては、特許文献３に記載された光ファイバ用マークバンドや特許文献４に記載された光コード識別タグが知られている。
図１５は、特許文献３に記載された光ファイバ用マークバンドを示しており、１３１は光ファイバ芯線、１３２は光ファイバ芯線１３１の回線番号等を表示する表示部、１３３は軟質部材、１３４は基板等への取付脚である。
また、図１６は、特許文献４に記載された光コード識別タグを示しており、１４１は光コード、１４２は光コードに１４１にそれぞれ取り付けられた識別タグである。
【先行技術文献】
【特許文献】
【０００７】
【特許文献１】特開２０１８−１４６６５１号公報（段落［００２０］、図３等）
【特許文献２】国際公開第２０１７／１４５９５５（段落［００４９］、図９等）
【特許文献３】特開２０００−８９０４１号公報（段落［０００６］〜［００１１］、図２等）
【特許文献４】特開２０１１−１６０６３８号公報（段落［００３５］、図９，図１０等）
【発明の概要】
【発明が解決しようとする課題】
【０００８】
特許文献３に記載された光ファイバ用マークバンドは、例えば４本の光ファイバ芯線１３１を上下から挟持する構造であり、芯線の数が増えるに従ってマークバンドが全体的に大型化してしまい、広い設置スペースが必要になる。
また、特許文献４に記載された光コード識別タグは、光コード１４１の１本ずつに識別タグ１４２を装着しなくてはならないため、光コード１４１の本数が増加するほど、識別タグ１４２の装着作業に多くの手間と時間を要するという問題があった。
【０００９】
そこで、本発明の解決課題は、クロージャ等の基台に固定される取付板と複数のテープ芯線を保持するテープ芯線ホルダとからなる簡単な構造により、テープ芯線や光ファイバ芯線を、例えば回線ごとに容易に識別できるように保持した光ファイバ芯線保持部材を提供することにある。
【課題を解決するための手段】
【００１０】
上記課題を解決するため、請求項１に係る発明は、スロットレス型の光ファイバケーブルが有する多数の光ファイバ芯線をチューブ内に収容してなるテープ芯線を複数、保持可能な光ファイバ芯線保持部材であって、
取付対象である基台に固定される取付板と、前記取付板に着脱可能に装着される複数のテープ芯線ホルダと、を備え、
前記取付板は、前記基台に固定される平板状の固定部と、この固定部の一辺から互いに平行に延設された長尺かつ複数の腕部と、を有すると共に、
前記テープ芯線ホルダは、前記腕部に対して着脱可能に握時する握持部と、この握持部に連設されて複数の保持溝内に前記テープ芯線を保持する保持部と、を有し、
複数の前記テープ芯線ホルダを、前記腕部の長さ方向に沿って、互いに異なる向きに装着可能としたことを特徴とする。
【００１１】
請求項２に係る発明は、請求項１に記載した光ファイバ芯線保持部材において、複数の前記テープ芯線ホルダを、前記腕部の長さ方向に沿って、互いに９０度または１８０度異なる向きに装着可能としたことを特徴とする。
【００１２】
請求項３に係る発明は、請求項１または２に記載した光ファイバ芯線保持部材において、  前記握持部は、前記腕部の端部に係止して前記テープ芯線ホルダが前記腕部から脱落するのを防止するための係止部を備えたことを特徴とする。
【００１３】
請求項４に係る発明は、請求項１〜３の何れか１項に記載した光ファイバ芯線保持部材において、前記保持部は、前記保持溝の入口に突設されて前記保持溝内の前記テープ芯線の脱落を防止するための脱落防止部を備えたことを特徴とする。
【００１４】
請求項５に係る発明は、請求項１〜４の何れか１項に記載した光ファイバ芯線保持部材において、前記テープ芯線ホルダを、可撓性のある材料によって形成したことを特徴とすることを特徴とする。
【発明の効果】
【００１５】
本発明においては、例えばクロージャの基台に固定された取付板の腕部の長さ方向に沿って、各種構造のテープ芯線ホルダを所定の向きで複数装着すると共に、これらのテープ芯線ホルダを用いて、スロットレス型光ファイバケーブルの複数のテープ芯線を回線ごとに保持することができる。このため、目的とする回線とは異なる回線の光ファイバ芯線を誤って引き出したり、誤接続するおそれが少なくなり、配線作業の効率化、容易化を図ることができる。
また、本発明は取付板とテープ芯線ホルダとからなる簡単な構成であるから、保持部材全体の小型化、低コスト化が可能である。
【図面の簡単な説明】
【００１６】
【図１】本発明の実施形態における取付板の斜視図である。
【図２】本発明の実施形態における取付板の平面図である。
【図３】本発明の実施形態におけるテープ芯線ホルダの第１実施例を示す斜視図である。
【図４】本発明の実施形態におけるテープ芯線ホルダの第１実施例を示す正面図である。
【図５】本発明の実施形態の使用状態を示す斜視図である。
【図６】本発明の実施形態の使用状態を示す斜視図である。
【図７】本発明の実施形態の使用状態を示す斜視図である。
【図８】本発明の実施形態におけるテープ芯線ホルダの第２実施例を示す斜視図である。
【図９】本発明の実施形態におけるテープ芯線ホルダの第３実施例を示す斜視図である。
【図１０】本発明の実施形態の使用状態を示す平面図及び側面図である。
【図１１】図１０における主要部を示す斜視図である。
【図１２】従来のスロット型光ファイバケーブルの断面図である。
【図１３】特許文献１に記載されたスロットレス型光ファイバケーブルの断面図である。
【図１４】特許文献２に記載されたスロットレス型光ファイバケーブルの断面図である。
【図１５】特許文献３に記載された従来技術を示す斜視図である。
【図１６】特許文献４に記載された従来技術を示す平面図である。
【発明を実施するための形態】
【００１７】
以下、図に沿って本発明の実施形態を説明する。
まず、図１（ａ），（ｂ）は、本発明の実施形態の構成部材である取付板３０の斜視図である。この取付板３０は、平板状の固定部３１と、その一辺の両端部から互いに平行に延設された一対の長尺の腕部３２，３３とを備えている。
固定部３１には、固定用のボルトを挿通するための一対のボルト孔３１ａ，３１ｂが設けられている。また、腕部３２，３３には、後述するテープ芯線ホルダ４０，５０，６０を装着するための装着部３２ｂ，３３ｂが、長さ方向に所定の間隔を置いて設けられた凸部３２ａ，３３ａによってそれぞれ複数、区画形成されている。
【００１８】
ここで、図１（ｂ）は図１（ａ）を裏側から見た状態に相当しており、３１ｃ，３１ｄは光ファイバケーブルが有する線状のテンションメンバが収容される溝部である。これらの溝部３１ｃ，３１ｄは、固定部３１の裏面において腕部３２，３３と平行な方向に形成されている。
なお、図２は取付板３０の平面図である。
【００１９】
次に、図３は、取付板３０の装着部３２ｂ，３３ｂに装着されるテープ芯線ホルダの第１実施例を示す斜視図であり、図４は同じく正面図である。
これらの図において、テープ芯線ホルダ４０は、可撓性のあるプラスチック等からなり、前記装着部３２ｂ，３３ｂを握持する正面コ字型の握持部４１と、この握持部４１の上端部に連設された保持部４２とからなっている。握持部４１には、装着部３２ｂ，３３ｂに適合した幅や高さを持つ握持凹所４１ｂと、この握持凹所４１ｂの下端部両側にそれぞれ形成されて装着部３２ｂ，３３ｂの下端部側縁に係止可能な脱落防止部としての係止部４１ａとを備えている。
握持部４１は、その可撓性により若干外側に拡げた状態で装着部３２ｂ，３３ｂに装着して元の形状に復元させることができ、装着後は、係止部４１ａが装着部３２ｂ，３３ｂの下端部側縁に係止することでテープ芯線ホルダ４０が取付板３０から脱落しないようになっている。
【００２０】
また、保持部４２は、握持部４１が握時する装着部３２ｂ，３３ｂの長さ方向に沿って立設された複数の保持壁４２ａを備え、隣接する保持壁４２ａの相互間には、後述するテープ芯線を収容可能な保持溝４２ｂがそれぞれ形成されている。
なお、保持壁４２ａの上端部、言い換えれば保持溝４２ｂの入口には、脱落防止部としての断面半円状の突起４２ｄが突設されており、保持溝４２ｂに収容されたテープ芯線が脱落しないように考慮されている。更に、図３（ｂ），（ｃ）及び図４に示す如く、保持部４２の握持部４１に近い両下端部には、機械的強度を持たせるためのリブ４２ｃがそれぞれ形成されている。
【００２１】
次いで、図５，図６はこの実施形態の使用状態を示す斜視図であり、図６は図５を裏側から見た状態を示している。
これらの図に示すように、取付板３０には、腕部３２，３３の長さ方向に沿って複数の装着部３２ｂ，３３ｂが形成されているので、これらの装着部３２ｂ，３３ｂにテープ芯線ホルダ４０をそれぞれ装着可能であると共に、個々の腕部３２または３３に装着される複数のテープ芯線ホルダ４０は、腕部３２または３３の長さ方向に沿って、互いに９０度または１８０度異なる向きに装着することができる。
【００２２】
これにより、例えばいくつかの回線群を構成する複数のテープ芯線（後述するテープ芯線２４）を一まとめにして一つのテープ芯線ホルダ４０によって保持し、別の回線群を構成する複数のテープ芯線を一まとめにして別のテープ芯線ホルダ４０によって保持する際に、それぞれのテープ芯線ホルダ４０を別方向に向けて装着することにより、回線群ごと、あるいは回線ごとのテープ芯線の引き回しや識別を容易に行うことができる。
上記の作用は、二つの腕部３２，３３にそれぞれ装着される複数のテープ芯線ホルダ４０について言えることであり、各テープ芯線ホルダ４０の向きを適宜変えることにより、各テープ芯線ホルダ４０にそれぞれ保持される複数のテープ芯線同士を互いに分離しつつ配線することが容易になる。
【００２３】
次に、図７はこの実施形態の使用状態を、光ファイバケーブルと共に示した斜視図である。
図７において、２０はスロットレス型ケーブルとしての光ファイバケーブルであり、多数本の光ファイバ芯線２１が外被２２によって被覆されている。
また、光ファイバ芯線２１を複数本まとめてシリコンチューブ２３に通すことにより、テープ芯線２４が形成される。これらのテープ芯線２４は、例えばＦＴＴＨ（Fiber To The Home）用の光通信線として使用されるものであり、接続先の回線ごとに１本のテープ芯線２４を対応させている。なお、光ファイバ芯線２１は、例えば本実施形態の光ファイバ芯線保持部材が取り付けられるクロージャ内の余長収容トレイに導入されるようになっている。
【００２４】
各テープ芯線２４は、テープ芯線ホルダ４０の所定位置の保持溝４２ｂにそれぞれ収容される。なお、図示例では、一つの保持溝４２ｂに１本のテープ芯線２４が収容されているが、一つの保持溝４２ｂに複数本のテープ芯線２４を収容しても良いことは言うまでもない。
また、複数のテープ芯線ホルダ４０は、その握持部４１が取付板３０の装着部３２ｂ，３３ｂをそれぞれ握持するものであるが、各テープ芯線ホルダ４０の向きは任意であり、図７に示すように全て上向きとするだけでなく、前述したように、装着部３２ｂ，３３ｂの長さ方向に沿って互いに９０度または１８０度異なる方向に向くように装着しても良い。
更に、複数のテープ芯線ホルダ４０を異なる色に着色することにより、テープ芯線２４の識別、言い換えれば回線の識別が一層容易になる。
【００２５】
次いで、図８（ａ）〜（ｃ）は、テープ芯線ホルダの第２実施例を示す斜視図である。
第２実施例に係るテープ芯線ホルダ５０は、第１実施例のテープ芯線ホルダ４０に比べて構造を簡略化したものであり、取付板３０の装着部３２ｂ，３３ｂをそれぞれ握持する握持部５１と、テープ芯線２４を保持する保持部５２とを備えている。
上記握持部５１において、５１ａは装着部３２ｂ，３３ｂからの脱落を防止するための係止部、５１ｂは装着部３２ｂ，３３ｂに適合した構造の握持凹所である。また、保持部５２において、５２ａは一対の保持壁、５２ｄは保持壁５２ａ，５２ａの間に配置された中央壁、５２ｂはテープ芯線２４が収容される保持溝、５２ｃは、保持溝５２ｂの入口に突設されてテープ芯線２４の脱落を防止する脱落防止部としての屈曲片である。
【００２６】
また、図９（ａ）〜（ｃ）は、テープ芯線ホルダの第３実施例を示す斜視図である。
第３実施例に係るテープ芯線ホルダ６０も、第１実施例のテープ芯線ホルダ４０に比べて構造を簡略化したものであり、係止部６１ａ及び握持凹所６１ｂを有する握持部６１とその上端部に連設された保持部６２とを備え、保持部６２における円弧状の保持壁６２ａの内側に形成された保持溝６２ｂに複数のテープ芯線２４を収容可能としている。６２ｃは、保持溝６２ｂの入口に突設されてテープ芯線２４の脱落を防止する脱落防止部としての終端部である。
このテープ芯線ホルダ６０では、保持溝６２ｂにより、複数のテープ芯線２４が円弧状に配置されて保持されることになる。
【００２７】
次に、図１０（ａ）は本発明の実施形態の使用状態を示す平面図であり、図１０（ｂ）は同じく側面図である。また、図１１は、図１０（ａ），（ｂ）における主要部の斜視図である。
この使用状態は、本実施形態の光ファイバ芯線保持部材をクロージャ内の基台８２に固定した場合のものであり、図１，図２に示した取付板３０のボルト孔３１ａ，３１ｂにボルト８３を通して取付対象の基台８２に締結することにより、取付板３０が固定される。ここでは、取付板３０と第２実施例に係るテープ芯線ホルダ５０とを組み合わせて光ファイバ芯線保持部材を構成している。
なお、８１はクロージャのベース板、８４は、図７に示した光ファイバケーブル２０を把持するケーブル把持部である。
【００２８】
上述した実施形態において、取付板３０やテープ芯線ホルダ４０，５０，６０の形状、構造は図示例に何ら限定されないことは言うまでもなく、また、テープ芯線２４に収容される光ファイバ芯線２１の数も図示例に何ら限定されるものではない。
【００２９】
本実施形態の光ファイバ芯線保持部材を用いれば、複数のテープ芯線２４をまとめて回線ごとに識別しながら保持することができるため、目的とする回線とは異なる回線の光ファイバ芯線を誤って引き出したり、誤接続する等のおそれがない。
特に、取付板３０の腕部３２，３３に装着される複数のテープ芯線ホルダの向きを任意に選ぶことができるので、各テープ芯線の識別や引き回し、配線作業が容易になるという利点がある。
【符号の説明】
【００３０】
２０：光ファイバケーブル
２１：光ファイバ芯線
２２：外被
２３：シリコンチューブ
２４：テープ芯線
３０：取付板
３１：固定部
３１ａ，３１ｂ：ボルト孔
３１ｃ，３１ｄ：溝部
３２，３３：腕部
３２ａ，３３ａ：凸部
３２ｂ，３３ｂ：装着部
４０：テープ芯線ホルダ
４１：握持部
４１ａ： 係止部
４１ｂ：握持凹所
４２：保持部
４２ａ：保持壁
４２ｂ：保持溝
４２ｃ：リブ
４２ｄ：突起
５０：テープ芯線ホルダ
５１：握持部
５１ａ： 係止部
５１ｂ：握持凹所
５２：保持部
５２ａ：保持壁
５２ｂ：保持溝
５２ｃ：屈曲片
５２ｄ：中央壁
６０：テープ芯線ホルダ
６１：握持部
６１ａ：係止部
６１ｂ：握持凹所
６２：保持部
６２ａ：保持壁
６２ｂ：保持溝
６２ｃ：終端部
７０：余長収容トレイ
８１：ベース板
８２：基台
８３：ボルト
８４：ケーブル把持部
【図１】
2020173385.tif 000003
【図２】
2020173385.tif 000004
【図３】
2020173385.tif 000005
【図４】
2020173385.tif 000006
【図５】
2020173385.tif 000007
【図６】
2020173385.tif 000008
【図７】
2020173385.tif 000009
【図８】
2020173385.tif 000010
【図９】
2020173385.tif 000011
【図１０】
2020173385.tif 000012
【図１１】
2020173385.tif 000013
【図１２】
2020173385.tif 000014
【図１３】
2020173385.tif 000015
【図１４】
2020173385.tif 000016
【図１５】
2020173385.tif 000017
【図１６】
2020173385.tif 000018